【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
ビデオシーケンスを編集するための方法であって、
前記ビデオシーケンスのマザーフレームを表示することと、
前記表示されたマザーフレームにユーザにより適用されたフレーム編集タスクを表す情報をキャプチャすることであって、前記フレーム編集タスクが前記表示されたマザーフレームの少なくともピクセルに関連する情報を変更する、ことと、
前記ビデオシーケンスの少なくとも１つのチャイルドフレームを時間的領域において表示することであって、前記キャプチャされた情報が時間的に伝達される、ことと、
を備え、
前記フレーム編集タスクを表す情報が、前記マザーフレームと前記少なくとも１つのチャイルドフレームとの間の動き場により決定され、前記表示されたマザーフレームの少なくともピクセルに前記時間的領域において対応する前記少なくとも１つのチャイルドフレームにおける少なくともピクセルに伝達される、前記方法。
【請求項２】
前記マザーフレームを前記少なくとも１つのチャイルドフレームに結合する視覚要素を表示することをさらに備え、前記視覚要素の非アクティブ化を受信すると、前記少なくとも１つのチャイルドフレームへの前記キャプチャされた情報の前記時間的な伝達が非アクティブ化される、請求項１に記載の方法。
【請求項３】
前記少なくとも１つのチャイルドフレームは、前記マザーフレームから少なくとも１フレーム離れた、前記ビデオシーケンスのうちの任意のフレームを含む、請求項１または２に記載の方法。
【請求項４】
前記キャプチャされた情報は、フロムザリファレンスタイプの動き場に基づき、前記マザーフレームから前記少なくとも１つのチャイルドフレームに時間的に伝達させられる、
請求項１から３のいずれか１項に記載の方法。
【請求項５】
前記少なくとも１つのチャイルドフレーム内の前記時間的に伝達されたキャプチャされた情報は、トゥーザリファレンスタイプの動き場に基づき、前記マザーフレームから決定される、請求項１から４のいずれか１項に記載の方法。
【請求項６】
編集タスクを表す前記情報は、ポインティング要素が置かれた前記マザーフレームのピクセルの位置を含み、
前記時間的に伝達されたキャプチャされた情報は、前記マザーフレームの前記ピクセルに関連付けられた、前記チャイルドフレームへの、動きベクトルの関数である、前記少なくとも１つのチャイルドフレームの少なくとも位置を含む、請求項１から５のいずれか１項に記載の方法。
【請求項７】
編集タスクを表す前記情報は、ペインティング要素が置かれた前記マザーフレームのピクセルの位置を含み、かつ、前記ペインティング要素に関連付けられた前記マザーフレーム内の領域を含み、
前記時間的に伝達されたキャプチャされた情報は、前記マザーフレームの前記ピクセルに関連付けられた、前記チャイルドフレームへの、動きベクトルの関数である、前記少なくとも１つのチャイルドフレームの少なくとも位置を含み、かつ、前記マザーフレームから前記チャイルドフレームへの前記領域の変換の結果である前記少なくとも１つのチャイルドフレーム内の領域を含む、請求項１から５のいずれか１項に記載の方法。
【請求項８】
編集タスクを表す前記情報は、多角形の頂点の順序付けられたリストに対応する前記マザーフレーム内の位置の順序付けられたリストを含み、
前記時間的に伝達されたキャプチャされた情報は、前記少なくとも１つのチャイルドフレーム内の位置の順序付けられたリストを含み、前記少なくとも１つのチャイルドフレーム内の各位置は、前記マザーフレーム内の各位置に関連付けられた、上記チャイルドフレームへの、動きベクトルの関数である、請求項１から５のいずれか１項に記載の方法。
【請求項９】
編集タスクを表す前記情報は、前記マザーフレームの一組のピクセルのカラー値を含み、
前記時間的に伝達されたキャプチャされた情報は、前記マザーフレームの前記一組のピクセルのカラー値の関数である、前記少なくとも１つのチャイルドフレーム内のピクセルのカラー値を含み、前記マザーフレーム内の前記一組のピクセルの位置は、前記少なくとも１つのチャイルドフレーム内の前記ピクセルに関連付けられた、前記マザーフレームへの、動きベクトルの関数である、請求項１から５のいずれか１項に記載の方法。
【請求項１０】
前記マザーフレーム内の前記位置に対応する、前記少なくとも１つのチャイルドフレーム内の前記位置が、前記少なくとも１つのチャイルドフレーム内で隠蔽されるとき、前記キャプチャされた情報は伝達されない、請求項６から８のいずれか１項に記載の方法。
【請求項１１】
前記少なくとも１つのチャイルドフレーム内の前記ピクセルの位置に対応する前記マザーフレーム内の前記一組のピクセルの位置が前記マザーフレーム内で隠蔽されるとき、前記キャプチャされた情報は伝達されない、請求項９に記載の方法。
【請求項１２】
ユーザ入力に応答して、前記マザーフレームを置き換える新しいマザーフレームとしてチャイルドフレームを選択することをさらに備えた、請求項１から１１のいずれか１項に記載の方法。
【請求項１３】
請求項１から１２のいずれか１項に記載の方法を実行するためのコンピュータ実行可能なプログラム命令を記憶したコンピュータ可読記憶媒体。
【請求項１４】
１つのディスプレイに結合された少なくとも１つのプロセッサを備える装置であって、
前記少なくとも１つのプロセッサは、
前記ビデオシーケンスのマザーフレームを表示し、
前記表示されたマザーフレームにユーザにより適用されたフレーム編集タスクを表す情報をキャプチャすることであって、前記フレーム編集タスクが前記表示されたマザーフレームの少なくともピクセルに関連する情報を変更し、
前記ビデオシーケンスの少なくとも１つのチャイルドフレームを時間的領域において表示することであって、前記キャプチャされた情報が時間的に伝達される、
ように適応されており、
前記少なくとも１つのプロセッサはさらに、
前記フレーム編集タスクを表す情報を、前記マザーフレームと前記少なくとも１つのチャイルドフレームとの間の動き場により決定され、前記表示されたマザーフレームの少なくともピクセルに前記時間的領域において対応する前記少なくとも１つのチャイルドフレームにおける少なくともピクセルに伝達するように適応されていることを特徴とする前記装置。
【請求項１５】
請求億１４に記載の装置と、
前記少なくとも１つのプロセッサに結合されたディスプレイと、
を備える機器。
【手続補正２】
【補正対象書類名】明細書
【補正対象項目名】００５８
【補正方法】変更
【補正の内容】
【００５８】
当然ながら、本発明は、先に説明された実施形態に限定されない。特に、編集ツールの様々な実施形態が、それらのマルチフレーム伝達モデルとともに説明される場合、本発明は、説明されたツールに限定されない。特に、当業者は、説明された実施形態から、写真編集において知られた他の編集ツールについての伝達モデルを容易に一般化するであろう。
［付記１］
ビデオシーケンスを編集するための方法であって、
前記ビデオシーケンスのマザーフレームを表示するステップ（１０）と、
前記表示されたマザーフレームにユーザにより適用されたフレーム編集タスクを表す情報をキャプチャするステップ（１１）であって、前記フレーム編集タスクが前記表示されたマザーフレームの少なくともピクセルに関連する情報を変更する、ステップと、
前記ビデオシーケンスの少なくとも１つのチャイルドフレームを表示するステップ（１２）であって、前記キャプチャされた情報が時間的に伝達される、ステップと、
を備え、
前記フレーム編集タスクを表す情報が、前記マザーフレームと前記少なくとも１つのチャイルドフレームとの間の動き場に基づき、前記表示されたマザーフレームの少なくともピクセルに対応する前記少なくとも１つのチャイルドフレームにおける少なくともピクセルに伝達される、前記方法。
［付記２］
前記マザーフレームを前記少なくとも１つのチャイルドフレームに結合する視覚要素を表示するステップをさらに備え、前記視覚要素がユーザ入力により非アクティブ化されたとき、前記少なくとも１つのチャイルドフレームへの前記キャプチャされた情報の前記時間的な伝達が非アクティブ化される、付記１に記載の方法。
［付記３］
前記少なくとも１つのチャイルドフレームは、前記マザーフレームから少なくとも１フレーム離れた、前記ビデオシーケンスのうちの任意のフレームを含む、付記１または２に記載の方法。
［付記４］
前記キャプチャされた情報は、フロムザリファレンスタイプの動き場に基づき、前記マザーフレームから前記少なくとも１つのチャイルドフレームに時間的に伝達させられる、
付記１から３のいずれかに記載の方法。
［付記５］
前記少なくとも１つのチャイルドフレーム内の前記時間的に伝達されたキャプチャされた情報は、トゥーザリファレンスタイプの動き場に基づき、前記マザーフレームから決定される、付記１から４のいずれかに記載の方法。
［付記６］
編集タスクを表す前記情報は、ポインティング要素が置かれた前記マザーフレームのピクセルの位置を含み、
前記時間的に伝達されたキャプチャされた情報は、前記マザーフレームの前記ピクセルに関連付けられた、前記チャイルドフレームへの、動きベクトルの関数である、前記少なくとも１つのチャイルドフレームの少なくとも位置を含む、付記１から５のいずれかに記載の方法。
［付記７］
編集タスクを表す前記情報は、ペインティング要素が置かれた前記マザーフレームのピクセルの位置を含み、かつ、前記ペインティング要素に関連付けられた前記マザーフレーム内の領域を含み、
前記時間的に伝達されたキャプチャされた情報は、前記マザーフレームの前記ピクセルに関連付けられた、前記チャイルドフレームへの、動きベクトルの関数である、前記少なくとも１つのチャイルドフレームの少なくとも位置を含み、かつ、前記マザーフレームから前記チャイルドフレームへの前記領域の変換の結果である前記少なくとも１つのチャイルドフレーム内の領域を含む、付記１から５のいずれかに記載の方法。
［付記８］
編集タスクを表す前記情報は、多角形の頂点の順序付けられたリストに対応する前記マザーフレーム内の位置の順序付けられたリストを含み、
前記時間的に伝達されたキャプチャされた情報は、前記少なくとも１つのチャイルドフレーム内の位置の順序付けられたリストを含み、前記少なくとも１つのチャイルドフレーム内の各位置は、前記マザーフレーム内の各位置に関連付けられた、上記チャイルドフレームへの、動きベクトルの関数である、付記１から５のいずれかに記載の方法。
［付記９］
編集タスクを表す前記情報は、前記マザーフレームの一組のピクセルのカラー値を含み、
前記時間的に伝達されたキャプチャされた情報は、前記マザーフレームの前記一組のピクセルのカラー値の関数である、前記少なくとも１つのチャイルドフレーム内のピクセルのカラー値を含み、前記マザーフレーム内の前記一組のピクセルの位置は、前記少なくとも１つのチャイルドフレーム内の前記ピクセルに関連付けられた、前記マザーフレームへの、動きベクトルの関数である、付記１から５のいずれかに記載の方法。
［付記１０］
前記マザーフレーム内の前記位置に対応する、前記少なくとも１つのチャイルドフレーム内の前記位置が、前記少なくとも１つのチャイルドフレーム内で隠蔽されるとき、前記キャプチャされた情報は伝達されない、付記６から８のいずれかに記載の方法。
［付記１１］
前記少なくとも１つのチャイルドフレーム内の前記ピクセルの位置に対応する前記マザーフレーム内の前記一組のピクセルの位置が前記マザーフレーム内で隠蔽されるとき、前記キャプチャされた情報は伝達されない、付記９に記載の方法。
［付記１２］
ユーザ入力に応答して、前記マザーフレームを置き換える新しいマザーフレームとしてチャイルドフレームを選択するステップをさらに備えた、付記１から１１のいずれかに記載の方法。
［付記１３］
付記１から１２のいずれかに記載の方法を実行するためのコンピュータ実行可能なプログラム命令を記憶したコンピュータ可読記憶媒体。
［付記１４］
少なくとも１つのプロセッサ（４０１）と、
前記少なくとも１つのプロセッサに結合されたディスプレイ（４０４）と、
前記少なくとも１つのプロセッサに結合されたメモリ（４０２）と、
を備え、前記メモリはプログラム命令を記憶し、前記プログラム命令は、前記ディスプレイ上で付記１から１２のいずれかに記載の方法を実行するために、前記少なくとも１つのプロセッサにより実行可能である、装置（４００）。